(57)【要約】【課題】ホームページは情報活動を支える有力なメディアとして拡大を続けるが、開設者の立場でその効果を実感できる環境が実現しているかと言えば、いわゆるネット広告の利用は別として、もっぱら情報利用側に提供される検索技術の開発や検索ノウハウの蓄積に助けられるところが多く、当事者として自ら主体的に情報の公開効果を求め、手にする環境が不足していることは否めない。【解決手段】ホームページの開設者が、公開した情報をトップページ経由等の検索待ちの状態に置くことなく、当事者として自由に、情報に適したカテゴリーを選び、その公開を知らせ、内容を紹介することで、広く該情報への顕在、潜在需要を引き出し、また利用者がカテゴリーを選び、開設者の紹介する予備的情報をもとに、効率良く求める情報を検索し、直接該情報の掲載ページを閲覧することを可能にする。【選択図】図１
2009070352.tif 000002
【特許請求の範囲】
【請求項１】
ホームページの開設者が自己のホームページで公開中の情報について、その内容等を自由に紹介し、利用者が同紹介により同情報についての予備的知識を得て、ホームページのトップページを介することなく、直接同情報を掲載するページを閲覧することを可能にするコンピュータシステムにおいて、開設者が、利用者の情報検索指向を想定し、公開中の情報に至る階層化カテゴリーの選択順および紹介先のカテゴリーを指定する過程と、同情報の紹介用記事を入力する過程と、該情報掲載ページのアドレスを入力する過程と、同アドレスへのリンクの有効期間を指定する過程と、から成るホームページ情報の紹介および閲覧誘導システム。
【請求項２】
前記開設者があらかじめ登録する情報の公開元等とする名称と前記入力記事を該情報の紹介用情報として保有し、これを前記の紹介先カテゴリーに露出する過程と、同紹介用情報をリンク元として該アドレスへのリンクを挿入する過程と、有効期間の満了に伴い同リンクを削除する過程と、から成る請求項１のホームページ情報の紹介および閲覧誘導システム。
【請求項３】
前記開設者が、露出中の前記リンク元から該情報掲載ページが閲覧された件数を、同リンク元の視認に至る利用者のカテゴリー選択の経過ごとに、該リンクの有効期間を含め随時一覧形式で参照可能なことを特徴とする請求項１のホームページ情報の紹介および閲覧誘導システム。
【発明の詳細な説明】
【技術分野】
【０００１】  本発明は、ホームページの開設者が、ホームページに公開する各情報（以下、元情報という。）をその公開意図に沿って紹介し、情報の利用者が同情報の所在を容易に見出し、予備的知識を得て直接該情報の掲載ページを閲覧する利用技術に関する。
【背景技術】
【０００２】  ホームページ情報の公開および閲覧機会の拡大は、情報の公開側、利用側の双方に益するところが大きく、インターネット利用技術上の工夫も種々見られるが、その多くは利用側の情報検索技術や情報入手支援のノウハウであり、それらが結果的に、公開側への情報閲覧機会の拡大をもたらしているとの理解が一般的である。【０００３】  たとえば、利用者が求める情報に関し案出したカテゴリー名を入力すると、そのカテゴリー名に関係する関連語が複数検出され、それらの関連語からのリンクにより、結果的に同カテゴリーに関係する多数のホームページを表示させるという技術がある（例えば、特許文献１参照。）。【０００４】  また、デジタルコンテンツの流通機会の拡大に合わせ、利用者があるコンテンツを閲覧すると、そのコンテンツ毎に提供会社のホームページアドレスが表示されるという技術がある（例えば、特許文献２参照。）。【０００５】  さらに、情報の公開側で閲覧機会を増やす方策として、設定したキーワードが利用者の入力する検索語と一致した場合に、該利用者が閲覧中のページに、自己のページに利用者を誘導する記事を露出させる技術やホームページを検索サイトへ登録し、インデックス化する技術が実用的に提供されている（例えば、非特許文献１参照。）。【０００６】
【特許文献１】  特開２００６−１６４０４４号公報
【特許文献２】  ＷＯ２００４−１０４８４３号公報
【非特許文献１】  「仕事に使えるＧｏｏｇｌｅサービス活用ガイド」、株式会社アスキー２００６年１２月、ｐ．１０２〜１０３、ｐ．１１２
【発明の開示】
【発明が解決しようとする課題】
【０００７】  しかし現状では、ホームページがビジネス、個人を問わず公開側のイニシアチブの下で情報活動に有効なメディアとして十分に活用、評価されているとはいい難い。その理由は、利用側への検索支援が成功率はともかく個々の情報ページにまで及ぶのに対し、公開側への支援は、イニシアチブ発揮の余地が無いに等しいカテゴリー検索サイトへの登録、広告の露出機会の拡大、前記の検索拡張技術関連などに止まるためである。
事実、開設者が元情報の公開タイミングを計り、その公開を知らせ、情報の内容を広く利用者に紹介するために、自主的に対処可能なインターネット上の環境は見当たらない。【０００８】  本発明は、上記の点に鑑みなされたもので、ホームページの開設者が、元情報を自らの意図に沿って紹介し、利用者が同紹介により該情報に関する予備的知識を得て、トップページを介さず、直接該情報を閲覧する環境を実現するものである。
【課題を解決するための手段】
【０００９】  図１は、本発明の基本的な仕組み説明図である。【００１０】  ウェブサーバーを含む図の左側は主に本発明の請求項１に対応するもので、ホームページの開設者が開設者用プログラムをダウンロードして、ホームページ上の元情報（例Ａ３）の紹介に適する階層化カテゴリーを１（大分類）、同２（中分類）、同３（小分類、紹介先用）の順序で選択、指定し、紹介記事の入力、リンク先アドレスの入力およびリンク期間の指定を行う過程を示す。これらの結果はサーバー内の処理プログラムから参照するデータとして保有される。【００１１】  同図の中央部は主に本発明の請求項２に対応するもので、前記１〜３のカテゴリーを利用者用プログラムにおいて同様に特定し、紹介記事と開設者が登録した名称等とを紹介用情報として紹介先カテゴリー３（小分類）に露出し、同情報をリンク元とするリンク有効にし、有効期間を設定する過程を示す。これにより利用者はカテゴリーを選択して、求める情報の所在を効率良く検索し、開設者の元情報を直接閲覧することができる。【００１２】  同図の右側は主に本発明の請求項３に対応するもので、利用者が情報を求めてカテゴリーを選択し、紹介先カテゴリーに露出する紹介用情報を見て、リンク元である同情報をクリックし、元情報を閲覧する過程を示す。これらの操作結果は処理プログラムから参照するデータとして保有し、開設者が、リンクが有効である間、全ての元情報へのアクセス件数をカテゴリー選択経過別、リンク有効期間別に、随時一覧形式で参照することを可能にする。
【発明の効果】
【００１３】  上記のように、本発明によって、ホームページの開設者はトップページへの利用者の来訪を待つまでもなく、自由に、場合により複数の紹介先カテゴリーを使い、紹介記事を工夫して元情報の情報価値を十分に伝えながら、その公開を広く顕在、潜在利用者に知らせることができる。【００１４】  また開設者は自ら、元情報の内容、性質等に応じた適切な閲覧可能期間を設け、またカテゴリーの選択過程を含む元情報の閲覧実績を適時に把握する等により、利用者の閲覧動向に即した情報活動の充実、強化等をはかることができる。
【発明を実施するための最良の形態】
【００１５】  以下、本発明の実施の形態を図２〜図５に基づいて説明する。【００１６】  図２は開設者用プログラムによる元情報の紹介処理の説明図である。【００１７】  ホームページ開設者がシステムサーバーにアクセスし、トップ画面を開いた後、利用資格として有するＩＤを入力すると、登録済コードと照合後トップ画面を紹介モードに切替え、同ＩＤに対応する開設者が登録した名称等（以下、公開元名称という。）を保有のうえ、階層化カテゴリー２０から大〜中分類２１、小分類（紹介先）２２の各カテゴリー画面を順次送出し、開設者が選択したカテゴリーを公開元名称と共にデータベースの所定のフィールド２７に書き込む。またカテゴリーの選択は各々その都度カウントし、選択カウンタ２３で各々について積算のうえ、該プログラム処理の結果が有効である間保持する。【００１８】  続いて紹介記事入力受付２４、ページＵＲＬ入力受付２５およびリンク期間入力受付２６を統合画面で構成、送出し、開設者による入力を同様に前記フィールド２７に書き込む。【００１９】  以上によりフィールド２７への書き込みが終わると、確認画面２８を構成、送出し、開設者の確認操作を受け、プログラムによる参照データとして処理を行い、開設者による該操作関連のレコードデータ２９として所定の期間保持する。【００２０】  図３はレコードデータを関係プログラムから参照する説明図である。【００２１】  レコードデータは開設者または利用者の操作により生成、確定したデータで、公開元名称３０、選択済カテゴリー３１、紹介記事３２、リンク先アドレス３３、リンク有効期間３４およびカウンタ計数値３５から成り、開設者または利用者プログラムの処理により書込み（白矢印）、読み出し（黒矢印）が行われる。【００２２】  公開元名称３０は、開設者が利用登録の際に登録する名称等であり、ＩＤを入力して行う操作に関連し、利用者向けの紹介用情報に公開元名称として露出するほか、開設者が操作結果を確認する画面関係に露出する。【００２３】選択済カテゴリー３１は、開設者が元情報の紹介に際し選択したカテゴリーを選択順に保有し、リンクの有効期間中、これを利用者プログラムにおける検索、紹介先カテゴリーに反映させるほか、開設者用の公開効果の確認情報に取込む。【００２４】  紹介記事３２は、一定の字数制限内で開設者が入力したテキストデータであり、公開元名称とともに紹介用情報として利用者プログラムにおける紹介先カテゴリーに露出させ、また開設者用の公開効果の確認情報に取込む。【００２５】  リンク先アドレス３３、リンク有効期限３４は、開設者の操作により確定したデータで、利用者プログラムのルーチンから参照されるデータとして保持する。【００２６】  カウンタ計数値３５は、利用者が紹介用情報をクリックして元情報の掲載ページを開いた際、その回数を積算保持するもので、開設者用の公開効果の確認情報に取込む。【００２７】  図４は、利用者用プログラムによる情報の検索と閲覧の説明図である。【００２８】  利用者がシステムサーバーにアクセスすると、階層化カテゴリーデータベース２０から大分類カテゴリーを送出、トップ画面を開き、即検索可能とする。大分類以下のカテゴリーでは、カテゴリー別選択カ���ンタ２３の積算値をカテゴリー毎に表示し、利用者に選択するカテゴリー先の紹介用情報の現在数を知らせる。【００２９】  大〜中分類カテゴリー４０の送出、同利用者による選択が終わると小分類（紹介先）カテゴリー４１を一覧形式で送出し、同時にレコードデータ２９から、各紹介先カテゴリーに指定された紹介用情報４２を読み出し露出する。【００３０】  利用者が紹介用情報をクリックすると、レコードデータのリンク先アドレスによりリンク４３を作動させ、ホームページの開設者が公開中の元情報を利用者の端末にダウンロード４４し、閲覧可能とする。
リンクは有効期間満了により、自動的に削除４５する。【００３１】  図５は、紹介効果の測定と閲覧動向の分析処理の説明図である。【００３２】  リンクの有効期間中、開設者が所定の操作でＩＤを入力すると、レコードデータ２９を読み出し、各紹介用情報５０からリンク先ページが閲覧された件数を、カテゴリー選択順別５１次いでリンクの有効期間別５２に分類し、一覧表示５３する。
【実施例】
【００３３】  出版社がホームページに公開した図書の刊行案内を、カテゴリーと紹介用情報によって読者に紹介し、該刊行案内へ直接の誘導を試みる例を図６〜図８に説明する。【００３４】  図６は図書の刊行を紹介するカテゴリー選択のイメージ図である。【００３５】  本システムのトップ画面で開設者がＩＤを入力すると、大分類６０、中分類６１および小分類６２の各画面が順次カテゴリーの選択に合わせて開く。小分類のカテゴリー６３を選ぶと、同カテゴリーが紹介用情報の露出先カテゴリーとして指定される。【００３６】  図７は紹介用情報の露出と元情報閲覧のイメージ図である。【００３７】  利用者が「歴史」、「日本史」とカテゴリーを選択すると、紹介先カテゴリーと各カテゴリーに指定されている紹介用情報が同時に表示される画面７０が開き、開設者（例：日月書房）が指定した紹介先カテゴリー「通史」に紹介用情報７１が露出する。同情報をクリックすると直接該開設者がホームページで公開中の元情報ページ７２が開く。【００３８】  図８は紹介用情報からのアクセス状況を確認、分析するイメージ図である。【００３９】  開設者が所定の操作でＩＤを入力すると、公開元名称８０の下に、露出中の全ての紹介用情報を表示する一覧画面が開き、カテゴリー選択順８１次いでリンク有効期間別８２で分類された各紹介用情報（紹介記事）８３ごとの閲覧件数（アクセス数）８４が一覧形式で表示され、リンク元である各紹介用情報から該元情報への閲覧実績の把握のほか、開設者のカテゴリー選択の傾向、リンク有効期間中のアクセス動向等の分析が可能となる。
【図面の簡単な説明】
【００４０】
【図１】本発明の基本的な仕組み説明図
【図２】開設者用プログラムによる元情報の紹介処理の説明図
【図３】レコードデータを関係プログラムから参照する説明図
【図４】利用者用プログラムによる情報の検索と閲覧の説明図
【図５】紹介効果の測定と閲覧動向の分析処理の説明図
【図６】図書の刊行を紹介するカテゴリー選択のイメージ図
【図７】紹介用情報の露出と元情報閲覧のイメージ図
【図８】紹介用情報からのアクセス状況を確認、分析するイメージ図
【符号の説明】
【００４１】２０  階層化カテゴリー
２３  カテゴリー別選択カウンタ
２４  紹介記事入力受付
２５  ページＵＲＬ入力受付
２６  リンク期間入力受付
２９  レコードデータ
４２  紹介先カテゴリー＆紹介用情報露出
４４  元情報ダウンロード
４５  リンク削除
５０  紹介用情報別分類
５１  同上カテゴリー選択順別分類
５２  同上リンク期間別分類
５３  閲覧件数一覧表示
【図１】
2009070352.tif 000003
【図２】
2009070352.tif 000004
【図３】
2009070352.tif 000005
【図４】
2009070352.tif 000006
【図５】
2009070352.tif 000007
【図６】
2009070352.tif 000008
【図７】
2009070352.tif 000009
【図８】
2009070352.tif 000010